(57)【要約】【課題】遠隔地での防犯システムにおいて、セキュリテイサーバやセンター監視サーバを用いた大規模なものでなく、小規模かつ手軽な防犯システムを得る。【解決手段】携帯電話に外部機器からの入力に対応するインターフェイスと外部制御機器への出力に対応するインターフェイスとを携帯電話に追加して、携帯電話回線またはインターネット回線を介して防犯に必要なデータを送信し、さらに、携帯電話回線またはインターネット回線を介して携帯電話に接続した機器を制御する小規模な防犯システムとする。【選択図】図１
2007123970.tif 000002
【特許請求の範囲】
【請求項１】
画像と音声の送受信機能を有した携帯電話に、少なくとも接続した外部機器からのデータを受け取るため、及び接続した外部制御機器へデータを送るためのインターフェイス及びソフトを追加することにより、携帯電話に受け取った内容を携帯電話回線またはインターネット回線を介して送信することができ、さらに、携帯電話回線またはインターネット回線を介して接続した機器を制御できることを特徴とする携帯電話。
【請求項２】
外部機器及び外部制御機器の接続の少なくとも一方が無線のローカルエリアネットワークを介して行なわれていることを特徴とする請求項１の携帯電話。
【発明の詳細な説明】
【技術分野】
【０００１】
本発明は携帯電話に関するもので、特定のインターフェイスとソフトとを追加することにより、主に防犯のための監視や防御が容易に可能となるものであり、特に電源等インフラの整備が困難な畑や果樹園での防犯に有用である。
【背景技術】
【０００２】
従来の防犯システムにおける監視カメラは、金融機関やコンビニ等に設置される有線のカメラが主流であったが、今では、パソコンが有れば、家庭でも簡単に利用できる監視カメラが販売されるようになった。これは、カメラのデジタル化やローカルエリアネットワーク（ＬＡＮ）技術の進展に伴い、監視カメラの画像を離れた所にあるパソコン等のディスプレイに簡単に表示できるようになったからである。
【０００３】
監視システムの１例として、学校において、離れた校門の監視カメラと校内の集中監視設備とをＬＡＮで接続することにより、監視カメラで撮影した画像を集中監視設備のディスプレイに容易に表示することができる校舎セキュリティシステムが提案されている。（特許文献１）
【０００４】
また、遠隔地での監視システムとして、セキュリテイサーバからＡＤＳＬなどのネットワーク回線を介してセンター監視サーバに接続するセキュリティ監視システムが提案されている。（特許文献２）
【０００５】
【特許文献１】公開特許公報２００５−２１５９９５号
【特許文献２】公開特許公報２００４−５２９４号
【発明の開示】
【発明が解決しようとする課題】
【０００６】
しかし、これらの監視システムは発信側に大容量のサーバを利用することが前提となっており、サーバの設置は電源等インフラの整備を必要とするために設置場所が限定される、費用がかさむ、メンテナンスが煩雑等の問題が発生している。
【０００７】
例えば、畑や果樹園に監視カメラやサーバを設置して離れた自宅に送信する場合には、設置する畑や果樹園にわざわざ電源を延長したり、電話回線を引いたり、サーバ設置のための小屋を用意しなければならず、きわめて大規模な設備投資になる。
【０００８】
本発明は、特に上記の問題点を解決し、小規模な防犯システムを提供できる携帯電話の提案を目的とする。
【課題を解決するための手段】
【０００９】
画像と音声の送受信機能を有した携帯電話に外部機器からの入力に対応するインターフェイスと外部制御機器への出力に対応するインターフェイスとを追加して、携帯電話回線またはインターネット回線を介して防犯に必要なデータを送信することができ、さらに、携帯電話回線またはインターネット回線を介して携帯電話に接続した機器を制御できるものとする。なお、ここでいう携帯電話とはＰＨＳ電話を含むものであり、少なくとも画像と音声の送受信機能を有した無線の通信機能を持ったものである。
【００１０】
外部機器からのデータは携帯電話に入力して携帯電話から発信させるので、特にサーバを必要とせず、インフラの整備も必要としないので、小規模な防犯システムを提供できる。
【発明の効果】
【００１１】
特に、サーバを必要とせずに、携帯電話から発信できるので、サーバ設置のためにわざわざ電源を延長したり、電話回線を引いたり、サーバを設置する小屋を用意する必要がなく、小規模な防犯システムが得られる。
【００１２】
また、請求項２の発明によれば、携帯電話と外部機器の接続や外部制御機器の接続に無線のローカルエリアネットワークを利用できるので、配線が少なくてすみ、設置やメンテナンスが容易となる。
【発明を実施するための最良の形態】
【００１３】
本発明の携帯電話はディスプレイ、音声送受信、画像送受信、カメラ、記録、アラーム、時計等の機能、さらに、電池、外部機器からの入力に対応するインターフェイス、外部制御機器への出力に対応するインターフェイスと対応するソフトとで構成される。
【００１４】
本発明の携帯電話は既存の携帯電話に上記構成の足りないものを追加するだけでよく、一般的には現在の携帯電話に、外部機器からの入力に対応するインターフェイス、外部制御機器への出力に対応するインターフェイスと対応するソフトを追加するだけで得ることができる。
【００１５】
本発明の携帯電話を携帯電話Ａとして、以下に説明していく。
【００１６】
携帯電話Ａに入力される外部機器としては主に外部カメラ、センサー等の防犯に必要な監視機器である。ただし、携帯電話Ａのカメラだけで十分であれば外部カメラは不要である。
【００１７】
外部制御機器としては、フラッシュなどの光源、音を発生させる機器、シャッターの開閉ができる制御機器や外部カメラ等である。
【００１８】
００１６や００１７の外部機器と携帯電話Ａの接続に無線のローカルエリアネットワーク（ＬＡＮ）を用いることもできる。
【００１９】
（実施例）
携帯電話Ａを果樹園に設けたスタンドに固定し、入力される外部機器として外周にセンサー１１とビデオサーバの付いた外部カメラ１２とを設置し、無線ＬＡＮで携帯電話Ａと接続した。さらに、外部制御機器としてフラッシュ光源２１とシャッターの開閉ができる制御機器２２とを設置し、無線ＬＡＮで携帯電話Ａと接続した。
【００２０】
携帯電話Ａから直接発信するので特にサーバを必要とせずに、小規模な防犯設備となった。また、携帯電話Ａと外部機器並びに外部制御機器とを無線ＬＡＮで接続したので機器の設置に配線が不要なので簡単にでき、かつ、すっきりとした。
【００２１】
図１に基づいて説明する。果樹園の外周に設置したセンサー１１からの異常発信と外部カメラ１２からのデータが携帯電話Ａから指定先のパソコンＢに発信された。送信された画像から果樹園に侵入した者がいることが分かり、パソコンＢからデータを送り、フラッシュ光源２１のスイッチを入れて数回のフラッシュを発生させて侵入者を威嚇すると共に、シャッターの開閉ができる制御機器２２のスイッチを入れて果樹を保管した倉庫のシャッターを閉じた。
【図面の簡単な説明】
【００２２】
【図１】本発明に係る携帯電話の実施例を示す説明図。
【符号の説明】
【００２３】
Ａ  本発明の携帯電話
Ｂ  パソコン
１１  センサー
１２  外部カメラ
２１  フラッシュ光源
２２  シャッターの開閉ができる制御機器
【図１】
2007123970.tif 000003